(57)【要約】【課題】簡単な構造で、シールド部を保持しながら電気的接触も安定させることができるコネクタを提供する。【解決手段】複数の平行な導体２４を備えたフラットシールド電線２５が接続される電線側コネクタ１１であって、フラットシールド電線２５の各導体２４に接続される電線側端子４３を収容保持する電線側ハウジング３５と、フラットシールド電線２５の先端部９７に露出させたシールド部２７を電線側ハウジング３５に固定したバスバープレート２１との間で電線幅方向に沿って挟持するストレインリリーフ３７と、を設けた。【選択図】図６
2014063612.tif 000002
【特許請求の範囲】
【請求項１】
複数の平行な導体を備えたフラットシールド電線が接続されるコネクタであって、
前記フラットシールド電線の各導体に電気的に接続される端子を収容保持するハウジングと、前記フラットシールド電線の先端部に露出させたシールド部を前記ハウジングに固定したバスバープレートとの間で電線幅方向に沿って挟持する電線挟持部材と、
を備えることを特徴とするコネクタ。
【請求項２】
前記シールド部を挟持した前記電線挟持部材の後端部との間で前記フラットシールド電線のシース部で覆われた部分を電線幅方向に沿って挟持する電線シースカバーを備えることを特徴とする請求項１に記載のコネクタ。
【請求項３】
前記バスバープレートのインデント部に対応する前記電線挟持部材の対向面には、前記シールド部を前記インデント部に押し付けるリブ突起が電線幅方向に沿って設けられることを特徴とする請求項１又は２に記載のコネクタ。
【発明の詳細な説明】
【技術分野】
【０００１】
本発明は、複数の平行な導体を備えたフラットシールド電線が接続されるコネクタに関する。
【背景技術】
【０００２】
被覆導線と、この被覆導線を取り囲む導電性の編組と、この編組を取り囲む絶縁性のシースとを備えたシールドケーブルの端部に設けられるコネクタが知られている（例えば、特許文献１参照）。この種のコネクタでは、高速信号の伝送等に用いられるケーブルに、ノイズの放出を抑制し且つ外来するノイズの影響を防ぐためにシールドケーブルが用いられる。
図９に示したコネクタ５０１は、被覆導線５０３と、被覆導線５０３を取り囲む導電性の編組５０５と、編組５０５を取り囲む絶縁性のシース５０７とを備えたシールドケーブル５０９の端部に設けられる。コネクタ５０１は、シールドケーブル５０９の端部に取り付けられる端子金具５１１と、環状に形成されており、且つ、シールドケーブル５０９の端部のシース５０７を剥いで露出させた編組５０５をシース５０７に重なるように折り返して設けた編組折返し部５１３を内側に通して加締める導電性の加締め部材５１５と、シールドケーブル５０９の端部及び端子金具５１１を覆い、且つ、加締め部材５１５を収容して固定するシールドシェル５１７と、を有している。
【０００３】
上記コネクタ５０１では、加締め部材５１５が、ハウジング５１９とシールドシェル５１７とによって狭持される。加締め部材５１５は、シールドシェル５１７の周壁に半田を用いてろう付け（即ち、半田付け）され、電気的に接続されるとともに固定される。加締め部材５１５がシールドシェル５１７に半田付けして固定されるとともに電気的に接続される構造では、加締め部材５１５をより強固にシールドシェル５１７の内部に固定することができるとともに、加締め部材５１５とシールドシェル５１７とをより確実に電気的に接続できる。更に、編組５０５は、シールドシェル５１７と直接半田接続され、アース回路へ接続されてもよい。
【先行技術文献】
【特許文献】
【０００４】
【特許文献１】特開２０１０−１５７０８号公報
【発明の概要】
【発明が解決しようとする課題】
【０００５】
しかしながら、上記した従来のコネクタ５０１は、シールドケーブル５０９の編組５０５を加締め部材５１５で加締め、シールドシェル５１７と加締め部材５１５を接触させることで通電させてアース回路へ接続するため、部品点数が多くなり、加締め作業のタクトタイムも掛かる。また、編組５０５とシールドシェル５１７を半田接続する場合には、半田付けによるタクトタイムが掛かり、作業性が悪い。これに加えて、使用される半田の量で電気接続特性が大きく変化するという問題もある。
【０００６】
本発明は上記状況に鑑みてなされたもので、その目的は、簡単な構造で、シールド部を保持しながら電気的接触も安定させることができるコネクタを提供することにある。
【課題を解決するための手段】
【０００７】
本発明に係る上記目的は、下記構成により達成される。
（１）  複数の平行な導体を備えたフラットシールド電線が接続されるコネクタであって、前記フラットシールド電線の各導体に電気的に接続される端子を収容保持するハウジングと、前記フラットシールド電線の先端部に露出させたシールド部を前記ハウジングに固定したバスバープレートとの間で電線幅方向に沿って挟持する電線挟持部材と、を備えることを特徴とするコネクタ。
【０００８】
上記（１）の構成のコネクタによれば、ハウジングに固定されたバスバープレートには、フラットシールド電線の露出したシールド部が接触され、フラットシールド電線は、その状態でハウジングに装着される電線挟持部材によってシールド部がバスバープレートとの間で挟持される。即ち、フラットシールド電線のシールド部が、バスバープレートに電気的に接続された状態となる。これにより、フラットシールド電線の先端部に露出させたシールド部が、ハウジングに固定したバスバープレートと電線挟持部材との間で電線幅方向に沿って挟持される簡単な構造で、シールド部を保持しながら電気的接触も安定させることができる。
【０００９】
（２）  上記（１）の構成のコネクタであって、前記シールド部を挟持した前記電線挟持部材の後端部との間で前記フラットシールド電線のシース部で覆われた部分を電線幅方向に沿って挟持する電線シースカバーを備えることを特徴とするコネクタ。
【００１０】
上記（２）の構成のコネクタによれば、前記端子が接続された先端部よりも後方のシース部で覆われた部分のシールド電線が、電線挟持部材の後端部と電線シースカバーとで電線幅方向に沿って挟持されるので、フラットシールド電線に作用した張力がシールド電線の導体と端子との導体接触部に作用する虞がない。そこで、フラットシールド電線の先端部に接続されたコネクタの接続信頼性を高めることができる。
【００１１】
（３）  上記（１）または（２）の構成のコネクタであって、前記バスバープレートのインデント部に対応する前記電線挟持部材の対向面には、前記シールド部を前記インデント部に押し付けるリブ突起が電線幅方向に沿って設けられることを特徴とするコネクタ。
【００１２】
上記（３）の構成のコネクタによれば、ハウジングに固定されたバスバープレートと電線挟持部材とによってフラットシールド電線のシールド部が挟まれた際、挟まれたシールド部は、バスバープレートから打ち出し成形されたインデント部と、電線挟持部材の対向面から突出したリブ突起とによって、局所的に高い接触荷重で押圧されて挟まれる。これにより、シールド部をバスバープレートにより確実に電気的接触させることができる。
【発明の効果】
【００１３】
本発明に係るコネクタによれば、簡単な構造で、シールド部を保持しながら電気的接触も安定させることができる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】本発明の一実施形態に係るコネクタを相手側コネクタ、回路基板及びフラットシールド電線と共に表した斜視図である。
【図２】図１に示した相手側コネクタとコネクタとが分離された状態の斜視図である。
【図３】図１に示した相手側コネクタ及びコネクタの分解斜視図である。
【図４】（ａ）は図２に示したコネクタの正面図、（ｂ）は（ａ）のＡ−Ａ断面図、（ｃ）は（ｂ）のＢ部拡大図である。
【図５】（ａ）は図２に示したコネクタの側面図、（ｂ）は（ａ）のＣ−Ｃ断面図、（ｃ）は（ｂ）のＤ部拡大図である。
【図６】（ａ）は図４（ａ）のＥ−Ｅ断面図、（ｂ）は（ａ）のＦ部拡大図である。
【図７】図２に示したフラットシールド電線の斜視図である。
【図８】図３に示した電線挟持部材の一部分を切り欠いた拡大斜視図である。
【図９】従来のコネクタの断面図である。
【発明を実施するための形態】
【００１６】
以下、本発明に係る実施形態を図面を参照して説明する。
図１に示すように、本実施形態に係るコネクタである電線側コネクタ１１は、例えば基板側コネクタ１３を相手側コネクタとするコネクタ装置１５に用いて好適となる。コネクタ装置１５の基板側コネクタ１３は、ＥＣＵ等の機器に収容される回路基板に実装される。
【００１７】
図２に示すように、基板側コネクタ１３は、導出された複数の基板側端子１７が回路基板１９の導体に半田付けされる。この基板側コネクタ１３に嵌合される電線側コネクタ１１は、複数部材が嵌合方向に組み付けられて一体に構成されている。
【００１８】
図３に示すように、電線側コネクタ１１は、バスバープレート２１の一部分（後述のＵ字状両端突出片２３）が、電線側コネクタ１１の嵌合方向の前方に向かって、両側から突出されている。このバスバープレート２１は、電線側コネクタ１１が取り付けられるフラットシールド電線２５のシールド部２７（図６参照）に電気的に接続される。フラットシールド電線２５は、複数の平行な導体２４を備える。それぞれの導体２４は、内部被覆によって覆われた図７に示す信号ライン２９となる。これら複数の信号ライン２９はアルミ箔３１等のシールド部２７によって覆われた後、更にその外周がシース部３３によって覆われている。なお、本明細書中、基板側コネクタ１３及び電線側コネクタ１１は、それぞれの嵌合側を「前」として説明する。
【００１９】
図３に示すように、電線側コネクタ１１は、合成樹脂製のハウジングである電線側ハウジング３５を有する。電線側コネクタ１１は、電線側ハウジング３５に装着された電線挟持部材であるストレインリリーフ３７の後端部３８に、更に後方から電線シースカバー３９が装着される。電線シースカバー３９は、シールド部２７の挟持されたフラットシールド電線２５のシース部３３を、ストレインリリーフ３７との間で電線幅方向に沿って挟持する。つまり、電線側コネクタ１１は、電線側ハウジング３５と、バスバープレート２１と、ストレインリリーフ３７と、電線シースカバー３９とが、図１に示す下側から上側に積層して組み付けられている。
【００２０】
図３に示すように、基板側コネクタ１３は、合成樹脂製の基板側ハウジング４１に、複数の基板側端子１７が圧入により装着される。本実施形態において、基板側端子１７はオス端子となる。従って、電線側コネクタ１１に装着される電線側端子（端子）４３はメス端子となる。
基板側端子１７は、前方から電気接触タブ４５と、圧入部４７と、リード部４９と、が後方に向かって直線状に連設されている。また、基板側端子１７は、基板側ハウジング４１の後方に開口する基板端子挿入開口部５１に電気接触タブ４５側から挿入されることで、圧入部４７が離脱規制されて基板側ハウジング４１に装着される。装着された基板側端子１７は、リード部４９が基板側ハウジング４１の後方から導出され、このリード部４９が回路基板１９のスルーホール５３（図１参照）に挿入されて半田付けされる。
【００２１】
基板側ハウジング４１の両側後方には、基板側端子１７の並び方向に直交する方向に延在する基板当接部５５が一体に形成されている。基板当接部５５の外側面には嵌合方向に延びるペグ装着溝５７が形成されている。ペグ装着溝５７には、略短冊状に形成された導電金属製の固定金具であるペグ５９が挿入される。
【００２２】
ペグ装着溝５７に固定されたペグ５９は、回路基板１９に穿設されるペグ固定孔６１（図１参照）に挿入されて半田付けされる。即ち、ペグ５９は、基板側ハウジング４１に固定され、基板側ハウジング４１を回路基板１９に保持固定すると共に、回路基板１９のアース回路６３（図１参照）に電気的に接続される。
【００２３】
図３に示すように、電線側コネクタ１１は、電線側ハウジング３５に、電線側端子４３が装着される。電線側ハウジング３５に装着された電線側端子４３は、電線側ハウジング嵌合先端面６５に開口される端子受入口６７から進入する基板側コネクタ１３の電気接触タブ４５に、電気接触箱部６９が接触する。電線側端子４３は、電気接触箱部６９が電線側ハウジング３５の内方に設けられた不図示のランスに係止されて、離脱規制されて電線側ハウジング３５に装着される。電線側端子４３は、電気接触箱部６９の後方に圧接刃７１が連設されている。この圧接刃７１は、図６（ａ）に示すように、フラットシールド電線２５の信号ライン２９の内部被覆を切り裂いて導体２４と電気的に接続される。
【００２４】
電線側ハウジング嵌合先端面６５の周囲には、基板側ハウジング４１のフード部７３を挿入するフード挿入溝部７５が形成される（図４（ａ）参照）。電線側ハウジング３５の両側前方には、電線側端子４３の並び方向に直交する方向に膨出する係合ブロック部７７が一体に形成されている。係合ブロック部７７は、基板側コネクタ１３と電線側コネクタ１１との嵌合時、基板当接部５５に当接する。それぞれの係合ブロック部７７には、前後方向に貫通するバスバー貫通孔７９が穿設されている。このバスバー貫通孔７９には、バスバープレート２１のＵ字状両端突出片２３が貫通され、貫通したＵ字状両端突出片２３が、図２に示すように係合ブロック部７７から前方へ突出する。
【００２５】
バスバープレート２１は、帯状金属板の両側を一方の面側に同一長さで垂直に折り曲げたＵ字状に形成され、その折り曲げられた両端側がＵ字状両端突出片２３となる。それぞれのＵ字状両端突出片２３には、バスバー貫通孔７９に係合するバスバー側係止突起８２（図４（ｃ）参照）及びバスバー側係止突部８１（図５（ｃ）参照）と、ペグ凹部８３（図２参照）に係合するバスバー凸部８５（図３参照）と、が形成されている。バスバープレート２１は、両側のＵ字状両端突出片２３の間が、挟持板部８７（図３参照）となる。なお、電線側端子４３の圧接刃７１は、図６に示すように、この挟持板部８７に接触することなく、挟持板部８７を迂回して後方へ突出される。
【００２６】
バスバープレート２１が装着された電線側ハウジング３５の後方には、ストレインリリーフ３７が装着される。電線側ハウジング３５の係合ブロック部７７にはストレインリリーフ固定溝８９（図３参照）が外側面に凹設されている。ストレインリリーフ３７は、直方体状の電線巻き付け部９１（図３参照）の両側に係止枠部９３が、係合ブロック部７７に向かって突出されている。ストレインリリーフ３７は、電線巻き付け部９１がバスバープレート２１の挟持板部８７に当接した状態で、係止枠部９３が、ストレインリリーフ固定溝８９のリリーフ固定突起９５に係止されて、電線側ハウジング３５に固定される。
【００２７】
この挟持板部８７と電線巻き付け部９１との間には、図６に示すように、フラットシールド電線２５のシールド部２７が挟持されることになる。即ち、ストレインリリーフ３７は、フラットシールド電線２５の先端部９７に露出させたシールド部２７を電線側ハウジング３５に固定したバスバープレート２１との間で電線幅方向に沿って挟持する。
【００２８】
バスバープレート２１の挟持板部８７には、シールド部２７に向かって後方へ突出されたインデント部９９が設けられる。このインデント部９９に対応するストレインリリーフ３７の対向面１０１には、シールド部２７をインデント部９９に押し付けるリブ突起１０３（図８参照）が電線幅方向に沿って設けられている。
【００２９】
電線巻き付け部９１の両側には、係止枠部９３の後方にカバー係止突起１０５（図３参照）が突設されている。ストレインリリーフ３７の後端部３８には後方から電線シースカバー３９が装着され、電線シースカバー３９は両側のカバー係止枠１０７（図５参照）が電線巻き付け部９１のカバー係止突起１０５に係止されてストレインリリーフ３７に固定される。電線巻き付け部９１と電線シースカバー３９との間には、シース部３３で覆われた部分のフラットシールド電線２５が挟持される。即ち、電線シースカバー３９は、シールド部２７を挟持したストレインリリーフ３７の後端部３８との間でフラットシールド電線２５のシース部３３（図７参照）を挟持する。
【００３０】
ストレインリリーフ３７は、電線巻き付け部９１にフラットシールド電線２５を巻き付けて挟持することで、フラットシールド電線２５に作用した張力を摩擦によって支持し、信号ライン２９の導体２４と電線側端子４３との導体接触部に、外力が作用しないように構成している。電線巻き付け部９１に巻き付けられるフラットシールド電線２５は、図７に示すように、Ｕ字状に屈曲される。屈曲されたフラットシールド電線２５の先端部９７は、シース部３３が除去されてアルミ箔等からなるシールド部２７が露出されている。シールド部２７からは、更に導体２４が内部被覆によって覆われた複数の信号ライン２９が導出される。
【００３１】
シールド部２７は、電線側ハウジング３５に装着されたバスバープレート２１の挟持板部８７に後方から接触し、その後方からストレインリリーフ３７によって押圧されて挟まれる。これにより、シールド部２７とバスバープレート２１とが導通される。シールド部２７からは複数の信号ライン２９が導出され、それぞれの信号ライン２９は対応する圧接刃７１によって内部被覆が切り裂かれて導体２４が対応の電線側端子４３に導通される。
【００３２】
電線側コネクタ１１は、基板側コネクタ１３との嵌合直前で、基板側コネクタ１３のフード部７３が、フード挿入溝部７５に挿入され、コネクタ相互の相対位置が位置決めされる。この位置決め状態で、電線側コネクタ１１から突出した一対のＵ字状両端突出片２３は、基板側コネクタ１３の一対のペグ５９の外側に近接して配置される。
【００３３】
この状態から嵌合が進んだＵ字状両端突出片２３は、ペグ５９の外面に摺接しながら所定位置までスライドされる。所定位置までスライドされたＵ字状両端突出片２３は、ペグ凹部８３（図２参照）にバスバー凸部８５が嵌合するとともに、ペグ凸条１０９（図２参照）にバー先端縁１１１が当接して確実な接触状態となる。
【００３４】
次に、上記構成を有する電線側コネクタ１１の作用を説明する。
本実施形態に係る電線側コネクタ１１は、図６に示すように、電線側ハウジング３５に固定されたバスバープレート２１には、フラットシールド電線２５の露出したシールド部２７が後方から接触される。フラットシールド電線２５は、その状態で、電線側ハウジング３５に後方から装着されるストレインリリーフ３７によってシールド部２７がバスバープレート２１との間で挟持される。
【００３５】
即ち、フラットシールド電線２５のシールド部２７が、バスバープレート２１に電気的に接続された状態となる。これにより、フラットシールド電線２５の先端部９７に露出させたシールド部２７が、電線側ハウジング３５に固定したバスバープレート２１とストレインリリーフ３７との間で電線幅方向に沿って挟持される簡単な構造で、シールド部２７を保持しながら電気的接触も安定させることができる。
【００３６】
また、本実施形態の電線側コネクタ１１では、フラットシールド電線２５が、信号ライン２９及びシールド部２７を露出した先端部９７と、先端部９７よりも後方の屈曲底部１１３と、屈曲底部１１３よりも後方の逆Ｌ字部１１５と、によって、略Ｕ字状に折り曲げられている（図７参照）。略Ｕ字状に折り曲げられたフラットシールド電線２５は、先端部９７がバスバープレート２１を介在させた電線側コネクタ１１とストレインリリーフ３７とによって挟持される。
そして、フラットシールド電線２５は、屈曲底部１１３がストレインリリーフ３７の外周に沿ってＵ字状に曲げられた後、更に逆Ｌ字部１１５となって後方へ導出される。ここで、電線側端子４３が接続された先端部９７よりも後方のシース部３３で覆われた部分である逆Ｌ字部１１５が、ストレインリリーフ３７と電線シースカバー３９とによって挟持されるので、図６（ａ）に示すように、フラットシールド電線２５に作用した張力がフラットシールド電線２５の導体２４と電線側端子４３との導体接触部に作用する虞がない。更に、フラットシールド電線２５は電線幅方向に沿って挟持されているので、フラットシールド電線２５がねじれた際にも上記導体接触部に直接負荷が作用するのを防止できる。そこで、フラットシールド電線２５の先端部９７に接続された電線側コネクタ１１の接続信頼性を高めることができ、フラットシールド電線２５の端部に電線側コネクタ１１を確実に固定できる。
【００３７】
更に、電線側ハウジング３５に固定されたバスバープレート２１とストレインリリーフ３７とによってフラットシールド電線２５のシールド部２７が挟まれた際、挟まれたシールド部２７は、図６（ｂ）に示すように、バスバープレート２１から打ち出し成形されたインデント部９９と、ストレインリリーフ３７の対向面１０１から突出したリブ突起１０３とによって押圧される。その結果、フラットシールド電線２５は、シールド部２７がインデント部９９とリブ突起１０３とによって、局所的に高い接触荷重で押圧されて挟まれる。これにより、シールド部２７をバスバープレート２１により確実に電気的接触させることができる。
【００３８】
従って、本実施形態に係る電線側コネクタ１１によれば、簡単な構造で、シールド部２７を保持しながら電気的接触も安定させることができる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３９】
１１…電線側コネクタ（コネクタ）
２１…バスバープレート
２４…導体
２５…フラットシールド電線
２７…シールド部
３３…シース部
３５…電線側ハウジング（ハウジング）
３７…ストレインリリーフ（電線挟持部材）
３８…後端部
３９…電線シースカバー
４３…電線側端子（端子）
９７…先端部
９９…インデント部
１０１…対向面
１０３…リブ突起
【図１】
2014063612.tif 000003
【図２】
2014063612.tif 000004
【図３】
2014063612.tif 000005
【図４】
2014063612.tif 000006
【図５】
2014063612.tif 000007
【図６】
2014063612.tif 000008
【図７】
2014063612.tif 000009
【図８】
2014063612.tif 000010
【図９】
2014063612.tif 000011